(57)【要約】【課題】  観察の度に行われていた対物レンズの位置合わせを不要にすることを目的とする。【解決手段】  対物レンズ挿入具５１は、基部５４と固定リング６２とで観察対象Ｗの表皮Ｗ２に位置決めして固定される。さらに対物レンズユニット２３を挿入する挿入孔５２を有している。対物レンズユニット２３は、枠部４１の面４５と挿入孔５２の平面５６とが当接するまで挿入孔５２に挿入され、基部５４に螺入されたネジ６０により固定される。これにより、対物レンズユニット２３が対物レンズ挿入具５１を介して観察対象Ｗに位置決めして固定される。【選択図】    図３
2005121947.tif 000002
【特許請求の範囲】
【請求項１】
観察対象の表皮に当接する基部から前記観察対象内に挿入される挿入部を延出させ、前記観察対象の内部を観察するために用いられる対物レンズを位置決めして挿入可能な挿入孔を設けた本体と、
前記挿入部に嵌合可能で、前記基部との間で前記表皮を挟み込む固定部材と、
を有することを特徴とする対物レンズ挿入具。
【請求項２】
前記挿入孔を複数設けたことを特徴とする請求項１に記載の対物レンズ挿入具。
【請求項３】
前記挿入孔を密閉可能な蓋を備えることを特徴とする請求項１に記載の対物レンズ挿入具。
【請求項４】
前記基部から延びる弾性部材の先端に前記蓋を備えることを特徴とする請求項３に記載の対物レンズ挿入具。
【請求項５】
前記蓋は、前記挿入孔を塞ぐ弾性部材に、少なくとも１つの切り込みを設けて形成されていることを特徴とする請求項３に記載の対物レンズ挿入具。
【請求項６】
前記本体は、前記基部に対して移動可能な微動部を有し、前記挿入孔は、前記微動部に設けられていることを特徴とする請求項１に記載の対物レンズ挿入具。
【請求項７】
前記本体に、前記基部から前記挿入部の先端まで貫通する貫通孔を設けたことを特徴とする請求項１に記載の対物レンズ挿入具。
【請求項８】
前記基部から延びる弾性部材を設け、前記弾性部材の先端に、前記貫通孔を密閉可能な蓋を設けたことを特徴とする請求項７に記載の対物レンズ挿入具。
【請求項９】
請求項１から請求項８のいずれか一項に記載の対物レンズ挿入具と、前記対物レンズ挿入具に挿入される対物レンズユニットと、光源からの光を前記観察対象に照射して得られた光を、前記対物レンズを通して検出する光検出器とを含んで構成されることを特徴とする顕微鏡。
【請求項１０】
前記対物レンズユニットの前記枠部は、略Ｌ字形状を有することを特徴とする請求項８に記載の顕微鏡。
【請求項１１】
前記対物レンズユニットの前記枠部に、前記光源からの光を通すライトガイド孔を設けたことを特徴とする請求項９に記載の顕微鏡。
【請求項１２】
請求項９から請求項１１のいずれか一項に記載の顕微鏡を多軸の移動機構に取り付け、前記観察対象が載置されるステージに対して進退自在に構成すると共に、前記ステージの上方に実体顕微鏡を配置したことを特徴とする顕微鏡システム。
【発明の詳細な説明】
【技術分野】
【０００１】
本発明は、光学機器において対物レンズユニットを挿入する対物レンズ挿入具と、このような対物レンズ挿入具を備える顕微鏡と、該顕微鏡を含む顕微鏡システムに関する。
【背景技術】
【０００２】
生きた細胞や組織などの試料の表面や、断層像を観察する手段としては、共焦点レーザ走査型顕微鏡が知られている。共焦点レーザ走査型顕微鏡は、レーザ光源と光検出器とが対物レンズに対して光学的に共益な位置関係になるように配置されている。さらに、レーザ光源と対物レンズとの間に走査光学系が設けられ、レーザビームを試料に対して２次元又は３次元に走査させながら、試料の像を取得する。ここで、従来の共焦点レーザ走査型顕微鏡には、観察したい部位に近接させる対物レンズと、走査光学系とを光ファイバの束で光学的に結合したものがある（例えば、特許文献１参照）。
【特許文献１】特開平１１−１３３３０６号公報（段落００１２〜００１５、第１図）
【発明の開示】
【発明が解決しようとする課題】
【０００３】
しかしながら、この種の共焦点レーザ走査型顕微鏡で同一の試料を複数回に渡って観察する場合には、観察の度に試料と対物レンズとの位置合わせをしなければならない。このような位置合わせは、試料が小動物の内部組織などである場合には、特に困難である。また、対物レンズの倍率を代えた場合にも位置合わせを行わなければならなかった。
さらに、細胞などを複数回に渡って観察する場合には、観察対象の内部に異物が入らないようにする必要がある。
この発明は、このような課題を鑑みてなされたものであり、観察の度に行われていた対物レンズの位置合わせを不要にすることを目的とする。また、観察対象の内部に異物が入らないようにすることを目的とする。そして、そのような対物レンズユニットが取り付けられた顕微鏡や、このような顕微鏡を含む顕微鏡システムを提供することを目的とする。
【課題を解決するための手段】
【０００４】
上記の課題を解決する本発明の請求項１に係る発明は、観察対象の表皮に当接する基部から前記観察対象内に挿入される挿入部を延出させ、前記観察対象の内部を観察するために用いられる対物レンズを位置決めして挿入可能な挿入孔を設けた本体と、前記挿入部に嵌合可能で、前記基部との間で前記表皮を挟み込む固定部材と、を有することを特徴とする対物レンズ挿入具とした。
この対物レンズ挿入具は、基部と固定部材とで表皮を挟み込むことで観察対象に位置決めして固定することができる。この状態で挿入孔に対物レンズユニットを挿入すると、対物レンズが、対物レンズ挿入具を介して観察対象に位置決めして固定される。
【０００５】
請求項２に係る発明は、請求項１に記載の対物レンズ挿入具において、前記挿入孔を複数設けたことを特徴とする。
この対物レンズ挿入具によれば、観察しようとする部位が近接して複数ある場合に、そのそれぞれに対物レンズユニットを挿入して観察することが可能になる。
【０００６】
請求項３に係る発明は、請求項１に記載の対物レンズ挿入具において、前記挿入孔を密閉可能な蓋を備えることを特徴とする。
この対物レンズ挿入具によれば、対物レンズユニットを取り外した後に挿入孔を蓋で密閉することが可能になる。
【０００７】
請求項４に係る発明は、請求項３に記載の対物レンズ挿入具において、前記基部から延びる弾性部材の先端に前記蓋を備えることを特徴とする。
この対物レンズ挿入具は、蓋が基部と一体に設けられているので、蓋の取り外しが容易になる。
【０００８】
請求項５に係る発明は、請求項３に記載の対物レンズ挿入具において、前記蓋は、前記挿入孔を塞ぐ弾性部材に、少なくとも１つの切り込みを設けて形成されていることを特徴とする。
この対物レンズ挿入具は、切り込みにより形成される複数の弾性片から蓋が構成される。この弾性片は、対物レンズユニットを取り外すと貫通孔を密閉し、対物レンズユニットを挿入孔に挿入すると開口を形成するように変形する。
【０００９】
請求項６に係る発明は、請求項１に記載の対物レンズ挿入具において、前記本体は、前記基部に対して移動可能な微動部を有し、前記挿入孔は、前記微動部に設けられていることを特徴とする。
この対物レンズ挿入具によれば、対物レンズユニットを挿入した微動部を基部に対して移動させることで、対物レンズの位置を移動させることができる。
【００１０】
請求項７に係る発明は、請求項１に記載の対物レンズ挿入具において、前記本体に、前記基部から前記挿入部の先端まで貫通する貫通孔を設けたことを特徴とする。
この対物レンズ挿入具は、対物レンズを挿入する孔とは別の孔を有し、この孔には、処置具を挿入したり、ライトガイドを挿入したりできる。また、この孔を利用して空気や薬剤を観察対象内に供給することができる。
【００１１】
請求項８に係る発明は、請求項７に記載の対物レンズ挿入具において、前記基部から延びる弾性部材を設け、前記弾性部材の先端に、前記貫通孔を密閉可能な蓋を設けたことを特徴とする。
この対物レンズ挿入具は、貫通孔を使用しないときには蓋で密閉することができる。
【００１２】
請求項９に係る発明は、請求項１から請求項８のいずれか一項に記載の対物レンズ挿入具と、前記対物レンズ挿入具に挿入される対物レンズユニットと、光源からの光を前記観察対象に照射して得られた光を前記対物レンズを通して検出する光検出器とを含んで構成されることを特徴とする顕微鏡とした。
この顕微鏡で観察を行う際には、対物レンズ挿入具を観察したい部位に固定し、その後に対物レンズユニットを対物レンズ挿入具の挿入孔に挿入する。対物レンズ挿入具により対物レンズの位置が、観察対象に固定される。
【００１３】
請求項１０に係る発明は、請求項８に記載の顕微鏡において、前記対物レンズユニットの前記枠部は、略Ｌ字形状を有することを特徴とする。
この顕微鏡は、対物レンズユニットの枠部が、略Ｌ字形状を有するので、顕微鏡の検出器側の光学系を、対物レンズの先端及び対物レンズ挿入具の直上から離れたところに配置することができる。
【００１４】
請求項１１に係る発明は、請求項９に記載の顕微鏡において、前記対物レンズユニットの前記枠部に、前記光源からの光を通すライトガイド孔を設けたことを特徴とする。
この顕微鏡は、対物レンズユニットの先端近傍から観察したい部位を照らすことができる。
【００１５】
請求項１２に係る発明は、請求項９から請求項１１のいずれか一項に記載の顕微鏡を多軸の移動機構に取り付け、前記観察対象が載置されるステージに対して進退自在に構成すると共に、前記ステージの上方に実体顕微鏡を配置したことを特徴とする顕微鏡システム。
この顕微鏡システムは、少なくとも２つの顕微鏡を備え、実体顕微鏡で観察対象を確認しながら、対物レンズ挿入具や、対物レンズを位置決めして挿入、固定することができる。
【発明の効果】
【００１６】
請求項１に記載した発明によれば、対物レンズ挿入具を介して対物レンズを観察対象に位置決めして固定できる。したがって、対物レンズ挿入具を観察対象に固定しておけば観察の度に観察対象と対物レンズとの位置合わせをする必要がなくなる。また、倍率の異なる対物レンズで同じ場所を観察したい際にも対物レンズの位置合わせが不要になる。
請求項２に記載した発明によれば、観察しようとする部位が近接して複数ある場合でも観察対象に対物レンズを位置決めして固定できる。
請求項３に記載した発明によれば、対物レンズユニットを取り外したときには挿入孔を蓋で密閉できるので、観察対象内部への異物の侵入を防止できる。
請求項４に記載した発明によれば、蓋が本体と一体に設けられるので、取り外しが容易である。さらに、蓋の紛失を防止でき、観察対象内部への異物の侵入を確実に防止できる。
請求項５に記載した発明によれば、対物レンズユニットを挿入孔に挿入したときに、対物レンズユニットを挿入可能な開口が形成されるような蓋が設けられているので、簡単な操作で異物の侵入を防止できる。
【００１７】
請求項６に記載した発明によれば、対物レンズを挿入した微動部を移動させることで、対物レンズの位置の微調整が可能になる。
請求項７に記載した発明によれば、照明や、必要な薬剤の投入が可能になり、観察し易くなる。
請求項８に記載した発明によれば、蓋で貫通孔を密閉できるので、観察対象内部への異物の侵入をさらに確実に防止できる。
請求項９に記載した発明によれば、対物レンズ挿入具を観察対象に固定しておけば、観察の度に観察対象と対物レンズとの位置合わせをしなくても観察が行える。また、倍率の異なる対物レンズで同じ場所を観察したい際にも対物レンズの位置合わせが不要になる。
請求項１０に記載した発明によれば、対物レンズユニットの枠部が、略Ｌ字形状を有するので、対物レンズユニットを対物レンズ挿入具に挿入する際に位置の確認が容易になる。
請求項１１に記載した発明によれば、観察したい部位を確実に照らすことができる。
請求項１２に記載した発明によれば、実体顕微鏡で確認しながら対物レンズ挿入具を観察対象に固定できるので、位置決めの精度が向上する。
【発明を実施するための最良の形態】
【００１８】
本発明を実施するための最良の形態について図面を参照しながら詳細に説明する。
図１に第１の実施の形態における顕微鏡システムの概略構成を示す。
図１に示すように顕微鏡システム１は、架台２上にステージ３を有し、ステージ３の上方には、観察対象Ｗの正立像を比較的に広い視野で観察する双眼実体顕微鏡４が配置され、ステージ３と双眼実体顕微鏡４との間には、観察対象Ｗを相対的に高倍率で観察する顕微鏡（以下、マイクロ顕微鏡）５が進退自在に設けられている。
【００１９】
双眼実体顕微鏡４は、対物レンズ１１と接眼レンズ１２とが取り付けられ、その内部に不図示のアフォーカルレンズ及び結像レンズなどが配設されている。接眼レンズ１２は、左右の眼に対応して２つずつ設けられ、各々の接眼レンズ１２の光軸が観察対象Ｗの表面で一致するように調整されている。さらに、この双眼実体顕微鏡４には、モニタ６に接続されたＣＣＤ（Ｃｈａｒｇｅ  Ｃｏｕｐｌｅｄ  Ｄｅｖｉｃｅ）カメラ１３が取り付けられている。なお、このＣＣＤカメラ１３及びモニタ６は、双眼実体顕微鏡４に必須の構成要素ではない。
このような双眼実体顕微鏡４は、多軸アーム８により支持されている。多軸アーム８は、双眼実体顕微鏡４を観察対象Ｗ（ステージ２）に対して平行移動させたり、近接又は離間させたりする。また、対物レンズ１１と観察対象Ｗとの間にマイクロ顕微鏡５のヘッド部２１を挿入するスペースが形成されている。
【００２０】
マイクロ顕微鏡５は、光学系を収容したヘッド部２１が多軸の移動機構である多軸ステージ２２に支持されている。ヘッド部２１の下面には、対物レンズユニット２３が取り付けられている。また、ヘッド部２１には、光ファイバ２４，２５を介して光源２６及び光検出器２７が接続されている。各部の制御は、コントローラ２８により行われ、観察像はモニタ７に表示される。さらに、対物レンズユニット２３の先端を挿入して固定する対物レンズ挿入具５１が、観察対象Ｗに取り付けられている。
【００２１】
光源２６には、例えば、アルゴンイオンレーザ、ヘリウムネオンレーザなどのレーザ発振器２９ａが用いられる。図２に示すように、光源２６から発振するレーザビームの光路上には、集光レンズ２９ｂと光ファイバ２４の一端が、順番に配置され、集光レンズ２９ｂで集光されたレーザビームを光ファイバ２４に導入するようになっている。
【００２２】
光ファイバ２４の一端は、光源２６に接続されて、他端は、ヘッド部２１に接続されている。なお、この光ファイバ２４は、一端から他端に至るまでの間に、光検出器２７に接続された光ファイバ２５と光ファイバカプラ３０で接続されており、光ファイバ２４を通る光を光ファイバ２５に分波するようになっている。この光ファイバ２５の一端は、光検出器２７に接続されている。
光検出器２７には、例えば、光電子倍増管や、ＰＤ（フォトダイオード）、ＣＣＤなど用いられている。この光検出器２７に入力される光は、光源２６から観察対象Ｗに照射された光の反射光又は蛍光光であって、光ファイバカプラ３０から分波された光である。
【００２３】
ヘッド部２１のケース３１には、光ファイバ２４の他端に取り付けられたコネクタ３２を固定する固定部３３が設けられている。さらに、光ファイバ２４から出射するレーザビームの光路上にはコリメータレンズ３４と光スキャナ３５が順番に配置されている。光スキャナ３５は、レーザビームを２次元に走査するもので、例えば、レーザビームをＸ方向（観察対象Ｗの横方向）に走査させるガルバノミラーと、Ｙ方向（観察対象Ｗの縦方向）に走査させるガルバノミラーとを組み合わせて構成されている。また、ケース３１の下面で、光スキャナ３５の下方に相当する位置には、レーザビームが通る窓３６が設けられている。窓３６の縁部は、下方に延出し、対物レンズユニット２３を固定する装着部３７をなしている。この装着部３７には、嵌合用の溝や、ネジ溝などが形成されており、対物レンズユニット２３を観察対象に固定したままで着脱できるようになっている。
【００２４】
図２及び図３に示すように、対物レンズユニット２３は、枠部４１内に複数の対物レンズ４２を保持した構成を有している。枠部４１は、その径を減少させるような段差を有し、ヘッド部２１の装着部３７に取り付けられる大径の枠基部４３の先に、枠基部４３よりも径が小さく、主に観察対象Ｗ内に挿入される枠先端部４４が設けられている。なお、この段差は、枠基部４３及び枠先端部４４のそれぞれの外壁と、対物レンズユニット２３の軸線Ｃ１（図３参照）に略直交する平面４５とから構成されている。なお、この対物レンズユニット２３は、枠部４１の先端の被装着部４６でヘッド部２１に取り付けられ、観察対象Ｗに固定された対物レンズ挿入具５１に挿入された状態で使用される。
【００２５】
対物レンズ挿入具５１は、挿入孔５２に対物レンズユニット２３を位置決めして固定する挿入具本体５３を有している。挿入具本体５３は、円形の基部５４から、観察対象Ｗに挿入される挿入部５５を延出させた構成を有し、前記挿入孔５２がヘッド部２１側の上面５４ａから、観察しようとする部位（図３に示す観察部位Ｗ１）に望む先端面５５ａに至るまで貫通している。この挿入孔５２には、その開口径を縮小させる段差を有し、上面５４ａ側の大径部５７と、先端面５５ａ側の小径部５８とが形成されている。なお、この段差は、大径部５７及び小径部５８のそれぞれの内壁と、これを繋ぐ平面５６とから構成されており、この平面５６は、挿入孔５２の軸線（図３の軸線Ｃ１）と略直交するように設けられている。
【００２６】
また、図２に示すように、基部５４の側面５４ｂには、挿入孔５２に連通するネジ孔５９が設けられており、ここにネジ６０がねじ込まれている。
挿入部５５は、基部５４よりも縮径しており、挿入部５５の先端には、係合部６１が設けられている。係合部６１は、挿入孔５２の軸線Ｃ１（図３参照）と略直交する方向に突出している。また、係合部６１の外側面には、先端面５５ａから基部５４に向かって拡径するようなテーパが設けられている。そして、挿入部５５には、先端面５５ａ側から固定リング６２が押し込まれる。
図３に示すように、固定リング６２は、挿入具本体５３を表皮Ｗ２、つまり観察対象Ｗに固定するための固定部材で、環形状をなしている。なお、固定リング６２は、環形状の一部を切り欠いた形状を有しても良いし、Ｕ字形状であっても良い。
【００２７】
ここで、挿入具本体５３の挿入孔５２に対物レンズユニット２３が挿入されると、平面４５を平面５６に当接させた状態では対物レンズユニット２３の枠基部４３が大径部５７に収容され、枠先端部４４が小径部５８に収容される。そして、挿入孔５２の平面５６と枠部４１の平面４５とが当接し、対物レンズユニット２３の高さ方向が位置決めされる。枠基部４３及び枠先端部４４の長さは、それぞれ大径部５７及び小径部５８よりも長い。したがって、枠基部４３は、大径部５８から上方に突出し、枠先端部４４は、小径部５８よりも観察部位Ｗ１側に突出する。
また、対物レンズユニット２３は、観察対象Ｗの像を拡大する倍率に応じて、異なる対物レンズ４２を組み合わせたものが複数用意されている。
【００２８】
なお、図１に示すように、マイクロ顕微鏡５のコントローラ２８は、ヘッド部２１（多軸ステージ２２を含む）、光源２６、光検出器２７、及びマイクロ顕微鏡５用のモニタ７のそれぞれにケーブルで接続されている。例えば、光源２６に対しては、レーザビームのＯＮ、ＯＦＦや出力の制御を行う。ヘッド部２１に対しては、光スキャナ３５（図２参照）をフィードバック制御する。また、光検出器２７から検出信号を取得し、データ処理を行い、モニタ７に表示させる。さらに、マイクロ顕微鏡５が３次元観察を行う場合には、コリメータレンズ３４を光スキャナ３５に近づけたり、遠ざけたりする。
また、多軸ステージ２２は、ヘッド部２１を前後方向、左右方向、上下方向にそれぞれ平行移動させる電動のステージを組み合わせて構成されている。
【００２９】
次に、この顕微鏡システム１を用いて観察対象Ｗを観察する手順の一例について以下に説明する。
まず、図１に示すように、双眼実体顕微鏡４の視野下にあるステージ３上に、観察対象Ｗを置く。このとき、コントローラ２８で多軸ステージ２２を操作して、マイクロ顕微鏡５のヘッド部２１を双眼実体顕微鏡４による観察を邪魔しない位置まで退避させておく。また、ヘッド部２１が多軸ステージ２２に取り付けられていない場合には、この段階でヘッド部２１を多軸ステージ２２に装着する。
そして、双眼実体顕微鏡４で、図３に示す観察部位Ｗ１の位置を確かめながら、観察対象Ｗの表皮Ｗ２を切り開く。この際、必要に応じて観察部位Ｗ１を蛍光色素で染めておく。
【００３０】
観察対象Ｗの表皮Ｗ２を切り開いたら、観察対象Ｗの内部に固定リング６２を挿入し、続いて挿入具本体５３の挿入部５５を表皮Ｗ２内に挿入する。そして、観察部位Ｗ１の上方に挿入孔５２があることを確認してから、固定リング６２を先端面５５ａ側から挿入部５５に押し込む。固定リング６２が係合部６１を越えると、固定リング６２の上面と挿入本体具５３の基部５４の下面との間で表皮Ｗ２が挟み込まれ、対物レンズ挿入具５１が表皮Ｗ２に固定される。
【００３１】
ここまでの準備が終了したら、再びコントローラ２８で多軸ステージ２２を操作してマイクロ顕微鏡５のヘッド部２１を観察部位の上方に移動させる。ヘッド部２１、つまり対物レンズユニット２３の先端の位置決めは、双眼実体顕微鏡４や、モニタ６で確認しながら行う。なお、図１には、モニタ６に表皮Ｗ２を切り開いた観察対象Ｗと、ヘッド部２１及び対物レンズユニット２３の像が表示された例が図示されている。
そして、ヘッド部２１に固定されている対物レンズユニット２３の枠部４１の平面４５が、対物レンズ挿入具５１の挿入孔５２の平面５６に当接するまで、ヘッド部２１を下降させる。
【００３２】
平面４５と平面５６とが当接したら、対物レンズ挿入具５１のネジ６０を締め、ネジ６０の先端を対物レンズユニット２３の枠基部４３に押し当て、対物レンズユニット２３を対物レンズ挿入具５１に固定する。これにより、対物レンズユニット２３（及び対物レンズ４２、以下同じ）が対物レンズ挿入具５１を介して表皮Ｗ２、つまり観察対象Ｗに固定される。
【００３３】
対物レンズユニット２３を位置決めして観察対象Ｗに固定したら、コントローラ２８を操作してレーザビームを出射させる。図２に示すように、レーザビームは、集光レンズ２９ｂを通って光ファイバ２４に導入され、ヘッド部２１内に導かれる。ヘッド部２１内では、光スキャナ３５により走査され、コリメータレンズ３４及び対物レンズ４２で集光され、観察対象Ｗの所定位置に照射される。そして、観察対象Ｗで反射した光や、蛍光色素から発せられる蛍光は、同じ光学系を経て光ファイバ２４に戻される。ここで、前述のように光ファイバ２４は、その途中に光ファイバカプラ３０を有するので、反射光や、蛍光は、光ファイバ２５に分波し、光検出器２７で検出される。そして、光検出器２７は、光の強度に応じて電気信号をコントローラ２８に出力する。
【００３４】
ここで、光検出器２７が出力する信号には、レーザビームが照射された領域の情報のみが含まれている。したがって、コントローラ２８は、レーザビームを走査させた結果、得られる所定の面積分の情報を取り込んで画像処理を行い、モニタ７に出力する。モニタ７に表示された像は、必要に応じて紙媒体に出力されたり、磁気記録媒体に記録されたりする。
なお、レーザビームは、観察対象Ｗの内部に浸透しやすく、焦点深度が浅いので、コリメータレンズ３４（図２参照）などでレーザビームの焦点位置を上下方向にずらすと、観察対象Ｗの内部の像が得られ、観察部位を３次元観察できる。
【００３５】
観察対象Ｗの経時変化を観察する場合には、ネジ６０を緩めてからヘッド部２１を引き上げて対物レンズユニット２３を観察対象Ｗから外す。一方、対物レンズ挿入具５１は、観察対象Ｗに固定したままにしておく。そして、再度、同じ観察部位Ｗ１を観察するときには、固定したままの対物レンズ挿入具５１に対物レンズユニット２３を挿入して固定し、観察を行う。
【００３６】
この実施の形態では、予め観察対象Ｗに固定した対物レンズ挿入具５１を用いることで、観察対象Ｗに対して対物レンズユニット２３を固定することができる。しかも、この対物レンズ挿入具５１によれば、段差部（平面５６）及びネジ６０で対物レンズユニット２３の深さ方向及び左右方向が位置決めされるので、観察対象Ｗに対する対物レンズユニット２３の位置決めも可能になる。さらに、ネジ６０を緩めると、対物レンズユニット２３を対物レンズ挿入具５１から簡単に取り外せるので、観察するとき以外には対物レンズユニット２３を観察対象Ｗから取り外すことができる。
【００３７】
また、このような対物レンズユニット２３が取り付けられたマイクロ顕微鏡５は、対物レンズ４２を所定位置に固定することができるので、観察対象の２次元観察や、３次元観察を精度良く行うことができるし、長期に渡る観察も可能になる。
そして、このようなマイクロ顕微鏡５を含む顕微鏡システム１は、観察位置を双眼実体顕微鏡４で確認しながら対物レンズユニット２３を観察対象Ｗに固定することができるので、観察対象Ｗの２次元観察や、３次元観察を精度良く行うことができるし、長期に渡る観察も可能になる。
【００３８】
なお、この実施の形態において、対物レンズ挿入具５１の基部５４及び挿入部５５は、対物レンズユニット２３の枠部４１と同心円状に配置される円形状を有するが、これらは四角形状でも良いし、他の形状でも良い。また、ネジ孔５９及びネジ６０は、２組以上有しても良い。
【００３９】
次に、本発明の第２の実施の形態について図面を参照しながら詳細に説明する。なお、前記各実施の形態と同一の構成要素には同一の符号を付している。また、前記各実施の形態と重複する説明は省略する。
この実施の形態の顕微鏡システムは、対物レンズの枠部がＬ字形状を有することを特徴とする。
【００４０】
図４に示すように、対物レンズユニット７３は、複数の対物レンズ４２を保持する枠部７４を有する。枠部７４は、Ｌ字形状の枠基部７５と、枠基部７５から延びる枠先端部４４とから構成されている。枠基部７５は、枠先端部４４に連なり、上方に延びる鉛直部７６と、鉛直部７６の上端付近から水平方向に延びる水平部７７とから構成されている。また、水平部７７の先端には、ヘッド部２１に取り付ける際に用いる被装着部４６が設けられている。このような対物レンズユニット７３において、対物レンズ４２は、枠先端部４４と、鉛直部７６と、水平部７７とに振り分られて保持されており、さらに鉛直部７６の軸線と水平部７７の軸線とが交わる位置には光軸を９０°折り曲げる折り曲げミラー７８が保持されている。
【００４１】
この対物レンズユニット７３が取り付けられるヘッド部２１は、ケース３１の側面に窓３６と装着部３７とが設けられており、光ファイバ２４を通じて導入されるレーザビームを集光するコンデンサレンズ３４と、２つのガルバノミラー３５ａ，３５ｂとを備えている。２つのガルバノミラー３５ａ，３５ｂは、光スキャナ３５を構成し、２次元に走査されたレーザビームが窓３６から対物レンズユニット７３に向けて出射されるように配置されている。
【００４２】
この対物レンズユニット７３を用いて観察を行う際には、対物レンズ挿入具５１を観察対象Ｗの表皮Ｗ２に固定した後に、双眼実体顕微鏡４で確認しながら対物レンズ挿入具５１に対物レンズユニット７３を挿入し、固定する。
そして、観察中は、水平部７７の対物レンズ４２を通ったレーザビームが折り曲げミラー７８で下向きに折り曲げられ、鉛直部７６及び枠先端部４４の対物レンズ４２を通り、観察対象Ｗの所定位置に集光させられる。
【００４３】
この実施の形態によれば、対物レンズユニット７３の枠部７４が、ヘッド部２１に装着される被装着部４６から先端に至るまでの間で略直角に折り曲っているので、ヘッド部２１を観察対象Ｗの側方に配置することができる。したがって、双眼実体顕微鏡４の視野をヘッド部２１が遮ることがないので、対物レンズユニット７３の挿入位置を確認し易くなる。また、前述のように、対物レンズ挿入具５１を用いることにより、対物レンズユニット７３及び対物レンズ４２を観察対象Ｗに位置決めして固定できる。
【００４４】
なお、枠部７４が、Ｌ字型を有する対物レンズユニットの他の形態としては、図５に示すような対物レンズユニット８３があげられる。
この対物レンズユニット８３の枠部７４は、前記枠基部７５と枠先端部８４とから構成されている。枠先端部８４は、主に観察対象Ｗ内に挿入される部分である。枠先端部８４の最も観察対象Ｗ側（下側）にある対物レンズ４２の先には、折り曲げミラー８５が設けられ、レーザビームを９０°折り曲げるようになっている。さらに、枠先端部８４の側面には、折り曲げミラー８５で折り曲げたレーザビームを通過させる窓８６が設けられている。
【００４５】
この対物レンズユニット８３では、枠先端部８４及び鉛直部７６の軸線Ｃ１方向と交差する方向にある部位に光を集光させることができるので、そのような部位の観察が可能になる。折り曲げミラー８５を軸線Ｃ１に対して４５°傾けて保持すると水平方向にある部位を観察することができる。また、折り曲げミラー８５と軸線Ｃ１のなす角を０°を越えて４５°未満に設定すると、水平方向よりも下がった位置にある部位を観察できる。折り曲げミラー８５と軸線Ｃ１のなす角を４５°を越えて９０°未満に設定すると、水平方向よりも上側にある部位を観察できる。
【００４６】
次に、本発明の第３の実施の形態について図面を参照しながら詳細に説明する。なお、前記各実施の形態と同一の構成要素には同一の符号を付している。また、前記各実施の形態と重複する説明は省略する。
この実施の形態の顕微鏡システムは、対物レンズ挿入具に貫通孔を閉塞する蓋を設けたことを特徴とする。
【００４７】
図６に示すように、対物レンズ挿入具９１は、挿入具本体５３の基部５４と固定リング６２とで表皮Ｗ２に固定され、挿入孔５２に対物レンズユニット２３を挿入し、段差部（平面５６）及びネジ６０により対物レンズユニット２３を位置決めして固定する構成を有している。
【００４８】
さらに、基部５４の上面５４ａ近傍の側面５４ｂには、細長形状で変形可能な板状部材（弾性部材）９２が延出している。この板状部材９２の先端には、挿入孔５２の開口を閉塞する蓋９３が取り付けられている。この蓋９３は、板状部材９２が取り付けられている基端から先端に向かって断面積を減少するようなテーパを有している。また、蓋９３の基端において、板状部材９２の反対側には、鍔部９４が延設されており、指やピンセットで蓋９３を掴み易くなっている。
【００４９】
この顕微鏡ユニット１は、前記のように双眼顕微鏡４で観察しながら、対物レンズ挿入具９１を表皮Ｗ２に取り付ける。観察を行うときには、対物レンズユニット２３を対物レンズ挿入具９１の挿入孔５２に挿入し、マイクロ顕微鏡５で２次元観察又は３次元観察を行う。そして、観察を行わないときには、対物レンズユニット２３を挿入孔５２から引き出し、図７に示すように、挿入孔５２に蓋９３を上面５４ａ側から押し込んで挿入孔５２を密閉させる。さらに、再度観察を行うときには、鍔部９４などを掴んで蓋９３を挿入孔５２から引き抜き、対物レンズユニット２３を挿入孔５２に挿入する。
【００５０】
このような対物レンズ挿入具９１によれば、挿入具本体５３と固定リング６２とで表皮Ｗ２を挟み込むことで、観察対象Ｗに対して対物レンズユニット２３を位置決めして固定することが可能になる。さらに、対物レンズユニット２３が挿入されていないときには、挿入孔５２が蓋９３で閉塞されるので、観察対象Ｗ内に異物が入ることを防止できる。また、このような対物レンズ挿入具９１を有するマイクロ顕微鏡５や、顕微鏡システム１は、前述の第１の実施の形態と同様に、高精度の観察や、長期間の観察が可能になる。
【００５１】
また、異物が入らないようにする蓋の他の形態としては、図８及び図９に示すような対物レンズ挿入具９６があげられる。
この対物レンズ挿入具９６は、挿入具本体５３の挿入孔５２内に蓋９７が設けられている。この蓋９７は、挿入孔５２内に設けられた複数の弾性片９８からなる。この弾性片９８は、挿入孔５２の大径部５７の開口を塞ぐ弾性部材に、十文字の切り込み９９を入れて形成されており、挿入孔５２の内壁側の基部は内壁に一体に設けられている。なお、切り込み９９は、一文字でも、放射状でも良い。
【００５２】
対物レンズユニット２３が挿入されない状態では、弾性片９８の切り込み９９側の周縁部が互いに接し、挿入孔５２が塞がれるので、挿入孔５２を通じて観察対象Ｗ内に異物が侵入することを防止できる。
図１０に示すように、挿入孔５２に対物レンズユニット２３が挿入されると、弾性片９８は、対物レンズユニット２３の枠部４１に押されて下方に湾曲し、弾性片９８の周縁部の間が開き、対物レンズユニット２３を挿入可能な開口が形成される。そして、対物レンズユニット２３を挿入した状態では、変形させられた弾性片９８が対物レンズユニット２３の枠部４１に接触するので、対物レンズユニット２３をさらに確実に位置決めして固定することが可能になる。
【００５３】
次に、本発明の第４の実施の形態について図面を参照しながら詳細に説明する。なお、前記各実施の形態と同一の構成要素には同一の符号を付している。また、前記各実施の形態と重複する説明は省略する。
この実施の形態の顕微鏡システムは、図１１又は図１２に示すように、対物レンズユニット２３を微動させる機構を備えることを特徴とする。
【００５４】
図１１に示すように、対物レンズ挿入具１０１は、観察対象Ｗの表皮Ｗ２を固定リング６２と固定部１０２とで挟み込み、固定部１０２に対して微動可能な微動部１０３に対物レンズユニット２３を挿入するように構成されている。
固定部１０２は、前記実施の形態と同様の機能を有する基部１０４と挿入部１０５とを有し、中央に微動部１０３を挿入する貫通孔１０６が形成されている。貫通孔１０６は、上面１０４ａと先端面１０５ａとにそれぞれ開口を有し、段差により上面１０４ａ側の大径部１０７と、先端面１０５ａ側の小径部１０８とが形成されている。なお、段差は、大径部１０７の内壁及び小径部１０８の内壁と、貫通孔１０６の軸線に略直交する平面１０９とから形成されている。そして、この平面１０９には、微動部１０３の底面１０３ａが当接する。
また、基部１０４の側面１０４ｂからねじ込まれる微動ツマミ１１０の先端は、微動部１０３の側壁に当接している。さらに、貫通孔１０６の内壁であって、微動ツマミ１１０の先端と対向する位置には、押圧部材（コイルバネ）１１１の一端が固定されており、押圧部材１１１の他端は微動部１０３の側壁に固定されている。
【００５５】
微動部１０３は、その内部に対物レンズユニット２３を挿入する挿入孔５２が形成されており、挿入孔５２の平面５６に対物レンズユニット２３の平面４５が当接する。さらに、この挿入孔５２には、複数の凹部１１２が設けられており、その各々にコイルスプリングなどの弾性部材１１３によって挿入孔５２の軸線に向かって付勢されたボール１１４が収容されている。
なお、対物レンズユニット２３の枠部４１には、ボール１１４の位置に合わせて凹形状の係合溝１１５が形成されている。
【００５６】
この対物レンズ挿入具１０１を使用する際には、最初に、固定リング６２と基部１０４とで表皮２を挟み込んで観察対象Ｗに固定する。この状態で微動部１０３の挿入孔５２に対物レンズユニット２３を挿入すると、対物レンズユニット２３の枠部４１の係合溝１１５にボール１１４が係合し、対物レンズユニット２３が微動部１０３の所定位置に固定される。
対物レンズユニット２３の位置を横方向、又は縦方向に微調整する場合には、微動ツマミ１１０を回転させる。微動ツマミ１１０を押し込むと、微動部１０３が押圧部材１１１を押し潰す方向に移動し、微動部１０３に固定されている対物レンズユニット２３も同じ方向に移動する。一方、微動ツマミ１１０を戻すと、押圧部材１１１が復元し、押圧部材１１１が伸びる方向に微動部１０３が移動させられ、微動部１０３に固定されている対物レンズユニット２３も同じ方向に移動する。
このようにして対物レンズユニット２３の位置を微調整してから、前述のようにマイクロ顕微鏡５で２次元又は３次元観察を行う。
【００５７】
この対物レンズ挿入具１０１によれば、対物レンズユニット２３を微動部１０３及び固定部１０２を介して観察対象Ｗに固定することができる。さらに、微動ツマミ１１０及び押圧部材１１１からなる微動機構で、微動部１０３を固定部１０２に対して平行移動させることで、対物レンズユニット２３の位置を微調整することができる。なお、図１１には、１組の微動ツマミ１１０及び押圧部材１１１のみが図示されているが、直交する位置に２組の微動ツマミ１１０及び押圧部材１１１を設けると、縦横（ＸＹ方向）に対物レンズユニット２３の微調整が可能になる。
また、このような対物レンズ挿入具１０１を含むマイクロ顕微鏡５や、顕微鏡システム１は、前述の第１の実施の形態と同様に、高精度の観察や、長期間の観察が可能になる。
【００５８】
さらに、図１２に示す対物レンズ挿入具１２１のように、上下方向に対物レンズユニット２３を微動させることもできる。
この対物レンズ挿入具１２１は、固定部１０２の貫通孔１０６に微動部１０３を挿入した構成を有する。貫通孔１０６の平面１０９には、押圧部材１１１の一端が固定され、微動部１０３の底面１０３ａには、押圧部材１１１の他端が固定されている。さらに、固定部１０２の基部１０４の一部が、貫通孔１０６の軸線に向かって延出し、微動ツマミ１１０を回転自在に支持する支持部１２２が形成されている。微動ツマミ１１０は、微動部１０３を鉛直下方に押圧するもので、その先端は微動部１０３の上面に当接している。
【００５９】
この対物レンズ挿入具１２１において、微動ツマミ１１０を回転させながら押し込むと、押圧部材１１１が押し潰されて微動部１０３が下降する。一方、微動ツマミ１１０を回転させて戻すと、押圧部材１１１が微動部１０３を押し上げ、微動部１０３が上昇する。そして、対物レンズユニット２３の位置を微調整した後に、前述のようにマイクロ顕微鏡５で２次元又は３次元観察を行う。
【００６０】
このような対物レンズ挿入具１２１を用いると、対物レンズユニット２３の上下方向の微調整が可能になるので、例えば、観察部位の表面にレーザビームを集光する場合や、３次元観察を行う場合などに作業が容易になる。ここで、微動ツマミ１１０及び押圧部材１１１からなる微動機構のみで対物レンズユニット２３の焦点合わせをしても良いし、ヘッド部２１の光学系による焦点合わせを併用しても良い。対物レンズ挿入具１２１の微動機構のみを用いる場合には、ヘッド部２１の構成を簡略化できる。
なお、図１１に示すような水平方向の微動機構と、図１２に示すような上下方向の微動機構とを組み合わせると、縦横及び上下に対物レンズユニット２３を微調整できるようになる。
【００６１】
なお、対物レンズユニット２３と観察対象Ｗとの間に水などの液体を注入し、液体の量を増減させて光の焦点調整を行っても良い。例えば、図３に示すような対物レンズ挿入具５１の場合に、挿入部５４を対物レンズユニット２３の先端よりも観察部位Ｗ１側に突出する長さにする。さらに、挿入孔５２と対物レンズユニット２３との間に、液体が通流可能な隙間を形成しておく。そして、この隙間には、液体を給排するポンプ（注射器でも良い）に接続されたチューブが挿入される。
観察時には、挿入部５４を観察部位Ｗ１の周囲に密着させてから表皮Ｗ２に対物レンズ挿入具を固定する。観察部位Ｗ１は、挿入孔５２と対物レンズユニット２３とで形成される空間により密閉されるので、この空間に液体を注入すると、空気と液体の密度の違いから焦点位置が対物レンズユニット２３側に変化する。そこで、モニタ７に表示される像を確認しながら、液体の量を増加したり、減少させたりして焦点位置を変化させる。
このような対物レンズ挿入具によれば、対物レンズを観察部位に位置決めして固定することができると共に、その焦点位置を調整することができる。なお、挿入部の先端からの液体の漏洩を抑制するために、挿入部の先端に液蜜性のパッキンなどを取り付けると良い。
【００６２】
次に、本発明の第５の実施の形態について図面を参照しながら詳細に説明する。なお、前記各実施の形態と同一の構成要素には同一の符号を付している。また、前記各実施の形態と重複する説明は省略する。
この実施の形態の顕微鏡システムは、対物レンズなどを挿入可能な孔を２つ以上有することを特徴とする。
【００６３】
図１３に示すように、対物レンズ挿入具１３１は、固定リング６２と挿入具本体５３とから構成され、挿入具本体５３に第１挿入孔１３２と第２挿入孔１３３とが平行に設けられている。
第１挿入孔１３２及び第２挿入孔１３３は、挿入具本体５３の高さ方向に沿った中心軸Ｃ２から外れた位置に設けられ、挿入具本体５３の基部５４及び挿入部５５を貫通し、互いに平行な軸線を有している。さらに、第１挿入孔１３２と第２挿入孔１３３とは、それぞれ大径部５７及び小径部５８を有している。
基部５４には、側面から第１挿入孔１３２まで貫通するネジ孔５９が穿設されており、ここに第１挿入孔１３２内の対物レンズユニット２３を固定するためのネジ６０がねじ込まれている。同様に、基部５４の側面から第２挿入孔１３３まで貫通するネジ孔５９が穿設されており、このネジ孔５９には第２挿入孔１３３内の対物レンズユニット２３を固定するためのネジ６０がねじ込まれている。
なお、挿入孔の数は、２つに限定されず、３つ以上でも良い。この場合には、挿入孔の数に応じてネジ孔５９及びネジ６０が設けられる。ネジ孔５９及びネジ６０は、１つの挿入孔１３２，１３３に対して複数設けられても良い。
【００６４】
観察対象Ｗを観察する際には、最初に、対物レンズ挿入具１３１を観察対象Ｗに位置決めして固定する。この際に、２つの挿入孔１３２，１３３が観察しようとする部位の上方に位置するように、双眼実体顕微鏡４で確認する。さらに、各挿入孔１３２，１３３に対物レンズユニット２３を挿入し、それぞれをネジ６０で固定する。観察が終了したり、対物レンズユニット２３を交換したりする際には、ネジ６０を緩めて挿入孔１３２，１３３に挿入されている対物レンズユニット２３を対物レンズ挿入具１３１から取り外す。各挿入孔１３２，１３３に挿入される対物レンズユニット２３は、異なる倍率のものでも、同じ倍率のものでも良い。
【００６５】
この対物レンズ挿入具１３１によれば、観察しようとする部位が近接する場合に、１つの対物レンズ挿入具１３１で、対物レンズユニット２３を位置決めをして固定することができる。観察対象Ｗが、小動物などのように、複数の対物レンズ挿入具を取り付けることが困難な場合でも、精度の良い観察が可能になる。
【００６６】
なお、各挿入孔１３２，１３３に、図６に示すような蓋９３を設けると、挿入孔１３２，１３３から対物レンズユニット２３を取り外しても、挿入孔１３２，１３３から観察対象Ｗ内部に異物が侵入することを防止できる。ここで、蓋９３は一方の挿入孔１３２，１３３のみに設けても良い。
【００６７】
次に、本発明の第６の実施の形態について図面を参照しながら詳細に説明する。なお、前記各実施の形態と同一の構成要素には同一の符号を付している。また、前記各実施の形態と重複する説明は省略する。
この実施の形態の顕微鏡システムは、対物レンズなどを挿入する挿入孔の他に、対物レンズの挿入以外に用いる孔が設けられていることを特徴とする。
【００６８】
図１４に示すように、対物レンズ挿入具１４１の挿入孔５２は、大径部５７及び小径部５８を有し、平面５６とネジ６０により対物レンズユニット２３を固定するように構成されている。処置孔１４２は、中心軸Ｃ２と平行な軸線に沿って基部５４及び先端部５５を貫通し、その内径は略均一である。処置孔１４２の上側の開口１４３の周縁は、基部５４が中心軸Ｃ２に沿って上方に突出し、環状凸部１４４になっている。この環状凸部１４４は、処置具の固定や、ガイドに用いられる。また、基部５４の上面５４ａ近傍の側面には屈曲自在な板状部材９２が一体的に設けられ、この板状部材９２の先端には、環状凸部１４４に嵌合し、開口１４３を密閉する蓋９３が一体的に取り付けられている。なお、環状凸部１４４の外側面に、周方向に沿って凹溝や、凸溝を設け、処置具を固定し易くしても良い。
【００６９】
この顕微鏡システム１では、対物レンズ挿入具１４１を位置決めしてから観察対象Ｗに固定する。さらに、挿入孔５２に対物レンズユニット２３を挿入して固定し、環状凸部１４４に嵌合している蓋９３を外す。観察部位Ｗ１が、他の臓器などで隠れている場合には、処置孔１４２からバスケットを挿入し、観察対象Ｗ内部でバスケットを開かせて観察対象Ｗ内部を押し開き、観察部位Ｗ１を対物レンズユニット２３で観察可能に露出させる。
また、図１５に示すように、環状凸部１４４にシース１４５を装着し、観察対象Ｗ内部に空気を供給すると、空気により観察部位Ｗ１の周囲を広げることができる。また、シース１４５から薬剤を送ると、観察部位Ｗ１やその周囲の炎症などを防止できる。
このように、処置孔１４２を利用することで、観察部位Ｗ１の観察が確実に行えるようになる。また、観察部位Ｗ１や、その周囲に必要な処置を施すことが可能になる。なお、処置孔１４２に装着又は挿入される処置具は、前述のものに限定されずに、カテーテルや、鉗子などでも良い。
【００７０】
次に、本発明の第７の実施の形態について図面を参照しながら詳細に説明する。なお、前記各実施の形態と同一の構成要素には同一の符号を付している。また、前記各実施の形態と重複する説明は省略する。
図１６に示すように、顕微鏡システム１のマイクロ顕微鏡５は、観察部位Ｗ１を照らす光源２６を有し、対物レンズユニット２３が取り付けられるヘッド部２１には、折り曲げミラー１５１と、結像光学系１５２と、ＣＣＤ１５３とが配置されている。ＣＣＤ１５３は、コントローラ２８に接続されており、ＣＣＤ１５３に取り込まれた観察部位Ｗ１の像がモニタ７（図１参照）に出力される。ここで、光源２６には、光ファイバ束からなるライトガイド１５０が接続されている。
【００７１】
対物レンズ挿入具１５４は、挿入具本体５３と固定リング６２とからなる。挿入具本体５３の中心には、上下方向の軸線に沿って挿入孔５２が形成され、ここに対物レンズユニット２３が挿入される。さらに、挿入具本体５３において、ネジ孔５９が形成されている部位と反対側の部位には、挿入具本体５３の中心軸（つまり対物レンズユニット２３の光軸）に対してライトガイド１５０の先端を挿入するライトガイド孔１５５が設けられている。ライトガイド孔１５５の開口は、基部５４の上面５４ａと、挿入部５５の先端面５５ａで、かつ挿入孔５２の開口の近傍の位置とに設けられている。なお、ライトガイド孔１５５は、観察部位Ｗ１側（下側）が挿入具本体５３の中心軸に向かうように傾斜していても良い。
【００７２】
このような対物レンズ挿入具１５４を用いると、対物レンズユニット２３を観察対象Ｗに位置決めして固定することができる。さらに、観察部位Ｗ１の近傍に、ライトガイド１５０の先端を配置できるので、観察部位Ｗ１を明るく照らし、鮮明な観察像を得ることができる。
なお、基部５４の上面５４ａに、ライトガイド孔１５５の開口を設ける代わりに、基部５４の側面にライトガイド孔１５５の開口を設けても良い。さらに、ライトガイド孔１５５は、緩やかな湾曲を有しても良いし、直線形状でも良い。
【００７３】
また、図１７に示すように、対物レンズユニット１６１の枠部１６２に、ライトガイド孔１５５を設けても良い。枠部１６２は、複数の対物レンズ４２を保持する孔１６３と、ライトガイド１６７を挿通させるライトガイド孔１５５ａとを有し、これらの孔１５５ａ，１６３は共に枠部１６２の長さ方向の軸線に平行に設けられている。
一方、マイクロ顕微鏡５のヘッド部２１の側面には、ライトガイド１５０の外径に等しい孔１６５が設けられている。また、ヘッド部２１の装着部３７の内側には、窓３６に近接した位置にライトガイド１５０の外径に等しい孔１６６が設けられている。マイクロ顕微鏡５の光源２６に接続されたライトガイド１５０は、孔１６５からヘッド部２１内に引き込まれ、孔１６６内に挿入される。孔１６６は、ライトガイド１５０の光がヘッド部２１の内部に漏れないように固定する。
【００７４】
この顕微鏡システム１は、ヘッド部２１に対物レンズユニット１６１を取り付ける際には、孔１６６とライトガイド孔１５５ａとが連通するように固定する。そして、観察対象Ｗに位置決めして固定された対物レンズ挿入具５１の挿入孔５２に対物レンズユニット１６１を挿入し、平面５６とネジ６０とで固定する。観察の際には、光源２６からの光がライトガイド１５０を通じ、孔１６６からライトガイド孔１５５ａに導かれる。そして、ライトガイド孔１５５ａ内のライトガイド１６７の先端の開口から観察対象Ｗ１に向けて照射される。
なお、ライトガイド１５０をライトガイド孔１５５ａ内に引き入れ、ライトガイド１５０で直接に観察部位Ｗ１を照らすようにしても良い。この場合には、ライトガイド１５０を予め孔１６６から引き出しておき、ライトガイド孔１５５ａ内に入れてから対物レンズユニット１６１をヘッド部２１に固定する。
この実施の形態によれば、対物レンズユニット１６１の対物レンズ４２の近傍から光を照射できるので、影などができ難く、観察部位Ｗ１を確実に照らすことができる。
【００７５】
なお、本発明は前記の各実施の形態に限定されずに広く応用することができる。
例えば、実施の形態のマイクロ顕微鏡５は、共焦点レーザ走査型顕微鏡として説明したが、ライトガイドで観察部位を照明し観察対象Ｗの像をＣＣＤで撮るタイプの顕微鏡であっても良く、前述と同様の作用及び効果が得られる。
また、各実施の形態を組み合わせても良い。例えば、図１１、図１２に示すような、微動部１０３を有する対物レンズ挿入具１０１，１２１や、図１６の示すような、ライトガイド孔１５５を有する対物レンズ挿入具１５４に、蓋９３（図６参照）や、蓋９７（図８）参照を設けても良い。
【図面の簡単な説明】
【００７６】
【図１】本発明の実施の形態における顕微鏡システムの構成を示す図である。
【図２】対物レンズユニット及び対物レンズ挿入具を含む顕微鏡の概略構成図である。
【図３】対物レンズユニットを観察対象に固定した状態を示す断面図である。
【図４】対物レンズユニット及び対物レンズ挿入具を含む顕微鏡の概略構成図である。
【図５】対物レンズユニットの断面図である。
【図６】対物レンズユニットを観察対象に固定した状態を示す断面図である。
【図７】対物レンズユニットを観察対象に固定した状態を示す断面図である。
【図８】対物レンズ挿入具の断面図である。
【図９】対物レンズ挿入具の平面図である。
【図１０】対物レンズユニットを観察対象に固定した状態を示す断面図である。
【図１１】対物レンズユニットを観察対象に固定した状態を示す断面図である。
【図１２】対物レンズユニットを観察対象に固定した状態を示す断面図である。
【図１３】対物レンズユニットを観察対象に固定した状態を示す断面図である。
【図１４】対物レンズユニットを観察対象に固定した状態を示す断面図である。
【図１５】対物レンズ挿入具の使用例を示す図である。
【図１６】対物レンズユニット及び対物レンズ挿入具を含む顕微鏡の概略構成図である。
【図１７】対物レンズユニット及び対物レンズ挿入具を含む顕微鏡の概略構成図である。
【符号の説明】
【００７７】
１    顕微鏡システム
２    ステージ
４    双眼実体顕微鏡（実体顕微鏡）
５    マイクロ顕微鏡（顕微鏡）
２３，７３，８３，１６１    対物レンズユニット
２６    光源
２７    光検出器
４２    対物レンズ
５１，９１，９６，１０１，１２１，１３１，１４１，１５４    対物レンズ挿入具
５２，１３２，１３３，１６３    挿入孔
５３    挿入具本体（本体）
５４    挿入部
６２    固定リング（固定部材）
９２    板状部材（弾性部材）
９３，９７    蓋
９９    切り込み
１０３    微動部
１４２    挿入孔
１５５，１５５ａ  ライトガイド孔
Ｗ    観察対象
Ｗ２  表皮
【図１】
2005121947.tif 000003
【図２】
2005121947.tif 000004
【図３】
2005121947.tif 000005
【図４】
2005121947.tif 000006
【図５】
2005121947.tif 000007
【図６】
2005121947.tif 000008
【図７】
2005121947.tif 000009
【図８】
2005121947.tif 000010
【図９】
2005121947.tif 000011
【図１０】
2005121947.tif 000012
【図１１】
2005121947.tif 000013
【図１２】
2005121947.tif 000014
【図１３】
2005121947.tif 000015
【図１４】
2005121947.tif 000016
【図１５】
2005121947.tif 000017
【図１６】
2005121947.tif 000018
【図１７】
2005121947.tif 000019